(57)【特許請求の範囲】
【請求項１】
天レールと地レール間に立設した支柱にパネル板を支持してなる間仕切パネルにおける壁面に接する部位の端部処理装置において、壁面に沿って側方開放した断面略コ字形の壁面レールを固定し、該壁面レールの凹溝内に配置した合成樹脂製のスペーサー部材とで、前記パネル板の側端部を弾性的に保持すべく、前記スペーサー部材は、内部が中空の押し出し成形品であり、前記パネル板の側端部に接する両側面板間を弾性変形可能な弾性付勢板で連結したことを特徴とする間仕切パネルにおける端部処理装置。
【請求項２】
前記スペーサー部材は、室内側に向き壁面と略平行な基板の両側に前記側面板を有する断面略コ字形の本体部と、前記両側面板の中間を連結するように一体成形した円弧状の弾性付勢板を有してなる請求項１記載の間仕切パネルにおける端部処理装置。
【請求項３】
前記スペーサー部材は、両側面板の壁面側の遊端に、前記壁面レールの側壁板の内面に当接する保間部を外向きに形成するとともに、無負荷状態で両側面板の遊端部は外側へ拡開し、前記両保間部の外側端の間隔を前記壁面レールの両側壁板の内面間隔よりも広くなるように成形してなる請求項１又は２記載の間仕切パネルにおける端部処理装置。
【請求項４】
前記スペーサー部材の保間部は、前記壁面レールの底面板に沿う保間板と、該保間板の先端に前記側壁板に沿う規制片とを有してなる請求項３記載の間仕切パネルにおける端部処理装置。
【請求項５】
前記スペーサー部材の基板の両側縁に沿って突条を突設してなる請求項２記載の間仕切パネルにおける端部処理装置。
【発明の詳細な説明】
【技術分野】
【０００１】
本発明は、間仕切パネルにおける端部処理装置に係わり、更に詳しくは間仕切パネルのパネル板上部と天レールの隅間を閉塞する端部処理装置に関するものである。
【背景技術】
【０００２】
従来から天井に取付けた天レールと床面に敷設した地レールとの間に所定間隔で支柱を立設し、両支柱に適宜な係止手段にて表裏両面にパネル板を係止して装着した間仕切パネルは各種提供されている。具体的には、前記支柱は下端に設けたアジャスターを上向き開放の断面略コ字形の前記地レール内に載支するとともに、該支柱の上端に設けた天固定金具を下方開放した断面略コ字形の前記天レールの内部で天井にネジ止め固定し、隣接する支柱間には下部に前記アジャスターを利用してパネル受け部材を架設するとともに、上下中間位置に単数又は複数の横桟を横設して隣接する支柱の間隔を一定に保持している。
【０００３】
また、壁面に対しては、側方へ開放した断面略コ字形の壁面レールを上下方向に固定し、下端部にアジャスターを装着するとともに、上端部に天固定金具を装着した支柱を前記壁面レールの凹溝内に取付け、隣接する支柱との間を、支持金具を介して横桟で連結し、そして壁面レールの両側壁板と支柱の間の空間にパネル板の側端部を差し込むように施工していた。この従来の施工方法では、パネル板の側端部の支持に殆ど機能していなかった壁面レール内の支柱、アジャスター及び天固定金具がいかにも余分であることは否めない。また、前記壁面レールの側壁板と支柱との間隔も正確ではなく、ガタツキも発生し易い。
【０００４】
尚、特許文献１には、間仕切パネルの上部構造に関するものではあるが、下向き開放の断面略コ字形の天井レールと、該天レールの凹溝内に取付けられたパネルガイドとによって、パネルの上端が支持されている構造が開示されている。ここで、パネルガイドの上部は内外に弾力性を備えて、天井レール内に取付ける際に、その弾力性を利用していると推測されるが、パネルを天井レールの垂下板との間に保持する部分には、パネルガイドの水平な板部分が表裏パネル間に突っ張り状態にあるので弾力性は全く作用しない。
【先行技術文献】
【特許文献】
【０００５】
【特許文献１】特開２００３−２２１８９２号公報
【発明の概要】
【発明が解決しようとする課題】
【０００６】
そこで、本発明が前述の状況に鑑み、解決しようとするところは、天レールと地レール間に立設した支柱にパネル板を支持してなる間仕切パネルにおける壁面に接する部位における端部処理装置において、支柱や天固定金具を使用せず、ガタツキなく確実にパネル板の側端部を保持することができ、施工も容易で、コスト削減に寄与する間仕切パネルにおける端部処理装置を提供する点にある。
【課題を解決するための手段】
【０００７】
本発明は、前述の課題解決のために、天レールと地レール間に立設した支柱にパネル板を支持してなる間仕切パネルにおける壁面に接する部位の端部処理装置において、壁面に沿って側方開放した断面略コ字形の壁面レールを固定し、該壁面レールの凹溝内に配置した合成樹脂製のスペーサー部材とで、前記パネル板の側端部を弾性的に保持すべく、前記スペーサー部材は、内部が中空の押し出し成形品であり、前記パネル板の側端部に接する両側面板間を弾性変形可能な弾性付勢板で連結したことを特徴とする間仕切パネルにおける端部処理装置を構成した（請求項１）。
【０００８】
ここで、前記スペーサー部材は、室内側に向き壁面と略平行な基板の両側に前記側面板を有する断面略コ字形の本体部と、前記両側面板の中間を連結するように一体成形した円弧状の弾性付勢板を有してなることが好ましい（請求項２）。
【０００９】
更に、前記スペーサー部材は、両側面板の壁面側の遊端に、前記壁面レールの側壁板の内面に当接する保間部を外向きに形成するとともに、無負荷状態で両側面板の遊端部は外側へ拡開し、前記両保間部の外側端の間隔を前記壁面レールの両側壁板の内面間隔よりも広くなるように成形してなることがより好ましい（請求項３）。
【００１０】
また、前記スペーサー部材の保間部は、前記壁面レールの底面板に沿う保間板と、該保間板の先端に前記側壁板に沿う規制片とを有してなることも好ましい（請求項４）。
【００１１】
更に、前記スペーサー部材の基板の両側縁に沿って突条を突設してなることも好ましい（請求項５）。
【発明の効果】
【００１２】
以上にしてなる請求項１に係る発明の間仕切パネルにおける端部処理装置は、天レールと地レール間に立設した支柱にパネル板を支持してなる間仕切パネルにおける壁面に接する部位の端部処理装置において、壁面に沿って側方開放した断面略コ字形の壁面レールを固定し、該壁面レールの凹溝内に配置した合成樹脂製のスペーサー部材とで、前記パネル板の側端部を弾性的に保持すべく、前記スペーサー部材は、内部が中空の押し出し成形品であり、前記パネル板の側端部に接する両側面板間を弾性変形可能な弾性付勢板で連結したので、壁面レールの側壁板とスペーサー部材の側面板との間にパネル板の側端部を挿入した際に、弾性付勢板による弾性付勢力によってガタツキなく確実の保持することができ、また施工も容易で、スペーサー部材を合成樹脂で安価に製造できるので、コスト削減に寄与することができる。
【００１３】
請求項２によれば、前記スペーサー部材は、室内側に向き壁面と略平行な基板の両側に前記側面板を有する断面略コ字形の本体部と、前記両側面板の中間を連結するように一体成形した円弧状の弾性付勢板を有してなるので、弾性付勢板は形状的な弾性変形能力を付与することができ、成形性にも優れている。
【００１４】
請求項３によれば、前記スペーサー部材は、両側面板の壁面側の遊端に、前記壁面レールの側壁板の内面に当接する保間部を外向きに形成するとともに、無負荷状態で両側面板の遊端部は外側へ拡開し、前記両保間部の外側端の間隔を前記壁面レールの両側壁板の内面間隔よりも広くなるように成形してなるので、壁面レールの両側壁板の内面の内面に、スペーサー部材の両保間部が、両側面板の復元力によって弾性的に圧接して、壁面レール内にスペーサー部材を安定に保持することができる。
【００１５】
請求項４によれば、前記スペーサー部材の保間部は、前記壁面レールの底面板に沿う保間板と、該保間板の先端に前記側壁板に沿う規制片とを有してなるので、スペーサー部材を壁面レールの凹溝内に嵌着した際に、前記保間部の保間板が底面板に沿うとともに、規制片が側壁板に沿うので、該スペーサー部材が壁面レールの凹溝内で回転することがなく、正しい姿勢を維持できる。
【００１６】
請求項５によれば、前記スペーサー部材の基板の両側縁に沿って突条を突設してなるので、間仕切パネルを構成する支柱とスペーサー部材との間に横桟を架設する場合、該横桟を支持する支持金具を基板の側面にネジ止めする際に突条が支持金具の回転を規制することができ、最小限のネジ止めによる施工作業が容易になる。
【図面の簡単な説明】
【００１７】
【図１】本発明に係る間仕切パネルのフレーム構造を示す部分正面図である。
【図２】同じく本発明に係る間仕切パネルのフレーム構造を示す部分縦断側面図である。
【図３】パネル板の上部構造を示す部分斜視図である。
【図４】パネル板の下部構造を示す部分斜視図である。
【図５】パネル板を支柱に係止した状態の部分横断平面図である。
【図６】壁面近傍の間仕切パネルの構造を示す部分正面図である。
【図７】スペーサー部材の斜視図である。
【図８】壁面レールとスペーサー部材の関係を示す縦断平面図である。
【図９】壁面に壁面レールとスペーサー部材を用いてパネル板の側端部を保持した状態の部分縦断平面図である。
【図１０】壁面に壁面レールとスペーサー部材を用いてパネル板の側端部を保持した状態の部分縦断側面図である。
【図１１】パネル板の下部を支持する構造を示す拡大縦断側面図である。
【図１２】補助パネル受け具を示し、（ａ）は斜視図、（ｂ）は平面図、（ｃ）は縦断面図である。
【図１３】支持金具を示し、（ａ）は斜視図、（ｂ）は平面図、（ｃ）は正面図である。
【図１４】支柱に支持金具を介して横桟を連結する構造を示す部分正面図である。
【図１５】支持金具のフック片を変形させた状態の斜視図である。
【発明を実施するための形態】
【００１８】
次に、添付図面に示した実施形態に基づき、本発明を更に詳細に説明する。図１〜図５は、本発明に係る間仕切パネルの構造を示し、図中符号１は天レール、２は地レール、３は支柱、４はアジャスター、５は天固定金具、６はパネル受け部材、７は横桟、８はパネル板、９は支持金具をそれぞれ示している。
【００１９】
本発明に係る間仕切パネルは、天井Ｓに取付けた天レール１と床面Ｆに敷設した地レール２との間に所定間隔で支柱３，…を立設し、具体的には前記支柱３は下端に設けたアジャスター４を上向き開放の断面略コ字形の前記地レール２内に載支するとともに、該支柱３の上端に設けた天固定金具５を下方開放した断面略コ字形の前記天レール１の内部で天井Ｓにネジ止め固定し、隣接する支柱３，３間には下部に前記アジャスター４を利用してパネル受け部材６を架設するとともに、上下中間位置に単数又は複数の横桟７を横設して、隣接する支柱３，３の間隔を一定に保持し、そして両支柱３，３に適宜な係止手段にて表裏両面にパネル板８，８を係止して装着する。ここで、前記横桟７は、前記支柱３に取付けられた支持金具９によって連結されている。前記横桟７は、下向き開放した断面略コ字形の長尺部材であり、前記パネル受け部材６と同じ長さに設定し、隣接する前記支柱３，３の間隔を正確に一定に設定しながら、該支柱３を立起状態に施工できるようにしている。
【００２０】
本発明のパネル板８は、図３〜図５に示すように、スチール製の表面板１０の周囲を裏面側へ折曲して縁部１１を形成し、裏面側に石膏ボード等の防音性に優れた芯材１２が接着された構造である。更に詳しくは、前記縁部１１は、両側にあっては前記表面板１０を裏面側に略直角に折曲して端面板１３を形成し、更に該端面板１３の後端を内方へ直角よりもやや小さな角度に折曲して裏面板１４を形成し、該裏面板１４には上下方向に所定間隔毎に縦長の係止孔１５，…を形成し、上縁部にあっては前記表面板１０の上端から裏面側へ略直角に折曲して上面板１６を形成するとともに、該上面板１６の端縁を下方へ略直角に折曲して補強板１７を形成し、該補強板１７の下端と前記芯材１２の上面１２Ａとの間に空間Ｇを設けた構造である。尚、前記パネル板８の下縁部の構造も上縁部と同様であり、前記表面板１０の下端から裏面側へ略直角に折曲して下面板１８を形成するとともに、該下面板１８の端縁を上方へ略直角に折曲して補強板１９を形成し、縁部１１を形成している。
【００２１】
前記パネル板８を前記支柱３に係止するには、図１及び図２に示すように、前記支柱３の両側面で所定高さ位置に、前後両端部が該支柱３から突出するように係止板２０をネジ止めする。この係止板２０の両端部には、上向きフック部２１，２１が形成されており、該上向きフック部２１に前記パネル板８の両側の裏面板１４に形成した係止孔１５を係止する。尚、前記パネル板８を前記支柱３に係止する構造は、前述のもの限らず、従来公知の各種係止手段を採用できる。
【００２２】
ここで、前記パネル板８の上部には予めシール材２２が装着されており、前記パネル板８を支柱３に係止すると同時に、パネル板８の上部と天レール１との間の隙間が閉塞されるようになっている。前記シール材２２は、図３に示すように、硬質と軟質の二種類のエラストマー等の弾性材料の押し出し成形品であり、前記パネル板８の補強板１７と上面板１６にかけて弾性的に外覆するとともに、補強板１７の下端に係止する係止部２３を備え、更に下方へ延びて前記芯材１２に接触する第１シール部２４と外側に突出して前記天レール１に接触する第２シール部２５とを備えている。本実施形態では、前記シール材９の材質は、非鉛ＰＶＣとしている。
【００２３】
前記パネル板８の下端は、図４に示すように、補強板１９の一部を切起して下向きの突片２６を形成し、前記パネル受け部材６の水平な受板２７に形成した係合孔２８に落とし込み係合して該パネル板８の面外方向の撓み変形を防止している。また、壁面Ｗに対しては、図５に示すように、前記支柱３は使用せず、該壁面Ｗに沿って側方開放した断面略コ字形の壁面レール２９を固定し、該壁面レール２９の凹溝内に配置した合成樹脂製のスペーサー部材３０とで、前記パネル板８の側端部を弾性的に保持している。
【００２４】
次に、間仕切パネルの端部処理について、図５〜図１２に基づいて詳細に説明する。本発明の間仕切パネルにおける端部処理装置は、天レール１と地レール２間に立設した支柱３にパネル板８を支持してなる間仕切パネルにおいて、壁面Ｗに接する部位の端部を処理するものであり、壁面Ｗに沿って側方開放した断面略コ字形の壁面レール２９を固定し、該壁面レール２９の凹溝３１内に配置した合成樹脂製のスペーサー部材３０とで、前記パネル板８の側端部を弾性的に保持すべく、前記スペーサー部材３０は、内部が中空の押し出し成形品であり、前記パネル板８の側端部に接する両側面板３２，３２間を弾性変形可能な弾性付勢板３３で連結したことを特徴とする。
【００２５】
更に詳しくは、前記壁面レール２９は、壁面Ｗにネジ止め固定する底面板３４とその両側に略直角に形成した両側壁板３５，３５とよりなる断面略コ字形の長尺部材であり、床面Ｆから天井Ｓまで略全高にわたって設ける。前記壁面レール２９は、スチール板で折曲形成したものであり、強度を高めるために両側壁板３５，３５の端部は内側へ向けてハゼ折りしている。
【００２６】
また、前記スペーサー部材３０は、室内側に向き壁面Ｗと略平行な基板３６の両側に前記側面板３２，３２を有する断面略コ字形の本体部３０Ａと、前記両側面板３２，３２の中間を連結するように一体成形した円弧状の弾性付勢板３３を有してなる。更に、前記スペーサー部材３０は、図７及び図８に示すように、両側面板３２，３２の壁面Ｗ側の遊端に、前記壁面レール２９の側壁板３５，３５の内面に当接する保間部３７，３７を外向きに形成するとともに、無負荷状態で両側面板３２，３２の遊端部は外側へ拡開し、前記両保間部３７，３７の外側端の間隔を前記壁面レール２９の両側壁板３５，３５の内面間隔よりも広くなるように成形している。
【００２７】
ここで、前記スペーサー部材３０の保間部３７は、前記壁面レール２９の底面板３４に沿う保間板３８と、該保間板３８の先端に前記側壁板３５に沿う規制片３９とを有した断面略Ｌ字形の形状である。前記規制片３９の横幅は、壁面レール２９内でスペーサー部材３０の回転を規制するために、ある程度の広さが必要である。また、前記スペーサー部材３０の基板３６の両側縁に沿って突条４０，４０を突設し、中央にはネジ止めの際の位置決め用の条溝４１を形成している。
【００２８】
前記スペーサー部材３０は、長さが７５０ｍｍ又は１０００ｍｍであり、図６に示すように、前記壁面レール２９の上下部に２本嵌着して使う。そして、図９及び図１０に示すように、壁面Ｗにネジ４２で固定した前記壁面レール２９の凹溝３１内に前記スペーサー部材３０に保間部３７の側から両側面板３２，３２を内向きに弾性変形させて幅を狭めたから挿入し、負荷を解除して両保間部３７，３７を前記両側壁板３５，３５の内面に圧接するとともに、底面板３４に当接する。それから、前記パネル板８の側端部を前記壁面レール２９の側壁板３５とスペーサー部材２９の側面板３２との間に圧入するとともに、他端部は前記支柱３に係止板２０を利用して係止する。ここで、前記弾性付勢板３３は、若干変形するように設定し、常に前記側面板３２が外向きに弾性付勢されているようにすることで、前記パネル板８の側端部をガタツキなく保持できる。
【００２９】
本発明の場合、壁面Ｗの近傍では前記支柱３は使用しないので、前記パネル板８の荷重を受けるための何らかの構造が必要である。そこで、本実施形態では、図１０〜図１２に示すような荷重受け機構４３を設けている。前記荷重受け機構４３は、補助アジャスター４４と載支部材４５とからなる。前記補助アジャスター４４は、前記地レール２の凹溝内に設置する下向き開放の断面略コ字形の台座４６と該台座４６に鉛直方向に螺合したアジャスターボルト４７とからなる。前記載支部材４５は、前記アジャスターボルト４７の頭部に載置する受圧部４８と、該受圧部４８の両側に吊り下げ状に形成し、前記地レール２の上部に外嵌する垂下板４９，４９と、該垂下板４９，４９の下端にそれぞれ外向きに直角に形成した受板５０とよりなる。前記受圧部４８は、強度を高めるためと前記アジャスターボルト４７の頭部から脱落しないようにするために、下向き開放した断面略コ字形の構造とするとともに、中央部に前記アジャスターボルト４７の頭部をドライバーで回転させるための開口５１を形成している。
【００３０】
前記荷重受け機構４３は、図６、図１０及び図１１に示すように、前記壁面レール２０の凹溝内の下端部に設置され、前記補助アジャスター４４の台座４６を前記地レール２の凹溝内に設置し、アジャスターボルト４７の頭部に前記載支部材４５の受圧部４８を載支した状態で、前記パネル受け部材６の端部を前記載支部材４５の受圧部４８に載せ、前記パネル板８の下端部を前記受板２７に載置して荷重を受ける。尚、前記壁面レール２９と隣接する支柱３間を他の支柱３，３間と同様に前記地レール２の上部にパネル受け部材６が被っているので、防音効果を備えたものになる。
【００３１】
また、図６に示すように、前記スペーサー部材２９と隣接する支柱３との間には横桟７をそれぞれ架設することによって、前記支柱３とスペーサー部材２９との間隔を一定に保持する。それには、正面視略Ｌ字形の支持金具９と支持金具９Ａを用いる。前記支持金具９は、前記支柱３に装着するように設計された金具であり、前記支持金具９は、図１、図２、図１３及び図１４に示すように、厚さ１ｍｍ以下、好ましくは厚さ０．８ｍｍのスチール板から作成し、垂直な固定板５２と水平な支持板５３とを有する正面視略Ｌ字形に形成した部材であり、該固定板５２と支持板５３の屈曲部５４の近傍に幅の狭いくびれ部５５を形成するとともに、該くびれ部５５に対応する前記固定板５２の両側に上向きフック片５６，５６を切起して形成している。
【００３２】
また、前記固定板５２の両側部には縦長の長孔５７，５７を形成するとともに、前記支持板５３の中央に下方へバーリング加工した連結孔５８を形成している。尚、前記連結孔５８は、タッピンネジを用いる場合には下穴となり、通常の小ネジを用いる場合には螺孔とする。また、前記支持金具９は、板厚が薄いため、前記固定板５２を平らな面に取付ける際に、前記フック片５６が邪魔になった場合にはプライヤー等で簡単に曲げて該固定板５２の面と面一にすることができる。
【００３３】
図１４に示すように、前記支持金具９を取付ける前記支柱３の両側面には、その面の両側部に一対の係合孔５９，５９を並設してある。前記係合孔５９は、縦長孔であても円形孔であっても構わないが、加工性から円形孔が好ましい。前記支持金具９を支柱３に取付けるには、図１４示すように、前記支持板５３を上方に向けた傾斜状態で、前記フック片５６，５６を前記支柱３の係合孔５９，５９に挿入し、前記屈曲部５４を支柱３の側面に当接して該屈曲部５４を支点として前記固定板５２が垂直に、前記支持板５３が水平になるまで回転させると、前記固定板５２が支柱３の側面に当接し、前記フック片５６が深く係合して保持される。それから、前記横桟７の下向き凹溝内に前記支持金具９の支持板５３を受け入れ、前記連結孔５８を利用してネジ６０で連結する。尚、前記支持金具９の支持板５３に横桟７を連結してそのままの姿勢を維持できる場合には、前記フック片５６が支柱３の係合孔５９から抜けることがないので、前記固定板５２を支柱３に必ずしもネジ止めする必要はないが、前記支柱３，３間の連結強度を高めるために、前記固定板５２を、長孔５７，５７を利用して支柱３の側面にネジ止めすることも好ましい。
【００３４】
前記スペーサー部材２９には、前記支持金具９Ａを用いて横桟７を連結する。前記支持金具９Ａは、図５、図９及び図１０に示すように、前記フック片５６を有しない以外は、前記支持金具９と基本的には同じであり、垂直な固定板５２と水平な支持板５３とを有する正面視略Ｌ字形に形成した部材である。前記支持金具９Ａの固定板５２を前記スペーサー部材２９の基板３６に接合し、両側縁を前記突条４０，４０に当止して回転規制した状態で、中央部で基板３６にネジ６１で固定する。そして、前記支持金具９Ａの支持板５３に横桟７の端部を載置してネジ６０で連結する。
【００３５】
ここで、前記支柱３用の支持金具９でも、図１５に示すように、前記フック片５６をプライヤー等で前記固定板５２と面一になるように変形させれば、該固定板５２を前記スペーサー部材２９の基板３６に接合できるようになる。この場合、前記固定板５２の中央部にネジ６１を挿通するための通孔６２を形成しておけば良い。
【符号の説明】
【００３６】
１  天レール、              ２  地レール、
３  支柱、                  ４  アジャスター、
５  天固定金具、            ６  パネル受け部材、
７  横桟、                  ８  パネル板、
９，９Ａ  支持金具、        １０  表面板、
１１  縁部、                １２  芯材、
１３  端面板、              １４  裏面板、
１５  係止孔、              １６  上面板、
１７  補強板、              １８  下面板、
１９  補強板、              ２０  係止板、
２１  上向きフック部、      ２２  シール材、
２３  係止部、              ２４  第１シール部、
２５  第２シール部、        ２６  突片、
２７  受板、                ２８  係合孔、
２９  壁面レール、          ３０  スペーサー部材、
３０Ａ  本体部、            ３１  凹溝、
３２  側面板、              ３３  弾性付勢板、
３４  底面板、              ３５  側壁板、
３６  基板、                ３７  保間部、
３８  保間板、              ３９  規制片、
４０  突条、                ４１  条溝、
４２  ネジ、                ４３  荷重受け機構、
４４  補助アジャスター、    ４５  載支部材、
４６  台座、                ４７  アジャスターボルト、
４８  受圧部、              ４９  垂下板、
５０  受板、                ５１  開口、
５２  固定板、              ５３  支持板、
５４  屈曲部、              ５５  くびれ部、
５６  フック片、            ５７  長孔、
５８  連結孔、              ５９  係合孔、
６０  ネジ、                ６１  ネジ、
６２  通孔、
Ｆ  床面、
Ｓ  天井、
Ｗ  壁面。
【図１】
0006503899.tif 000002
【図２】
0006503899.tif 000003
【図３】
0006503899.tif 000004
【図４】
0006503899.tif 000005
【図５】
0006503899.tif 000006
【図６】
0006503899.tif 000007
【図７】
0006503899.tif 000008
【図８】
0006503899.tif 000009
【図９】
0006503899.tif 000010
【図１０】
0006503899.tif 000011
【図１１】
0006503899.tif 000012
【図１２】
0006503899.tif 000013
【図１３】
0006503899.tif 000014
【図１４】
0006503899.tif 000015
【図１５】
0006503899.tif 000016